(57)【要約】【課題】簡単な構成で確実にケーシングに軸受部材を固定可能なポンプ装置を提供すること。【解決手段】ポンプ装置１は、モータ１１に連結された回転軸１３と、回転軸１３に固定されたインペラ３１と、円筒状の外郭部５１、並びに、外郭部５１に一体に設けられ、且つ、その中央部に形成された挿入孔７６及び挿入孔７６の周囲に挿入孔７６の軸心に対して対称位置に複数形成された貫通する孔部７７を有する仕切部７２を具備するポンプケーシング３２と、挿入孔７６に挿入される、回転軸１３を支持するブシュ８１、ブシュ８１に設けられ、仕切部７２の主面と当接する鍔部材８２、並びに、孔部７７に挿入される軸部８５及び軸部８５の両端に設けられ、その一方が鍔部材８２を押圧するとともに軸部８５を孔部７７に固定する一対の頭部８６，８７を有する固定部材８３を具備する軸受部材３４と、を備える。【選択図】図２
2014199015.tif 000002
【特許請求の範囲】
【請求項１】
モータに連結された回転軸と、
前記回転軸に固定されたインペラと、
円筒状の外郭部、並びに、前記外郭部に一体に設けられ、且つ、その中央部に形成された挿入孔及び前記挿入孔の周囲に前記挿入孔の軸心に対して対称位置に複数形成された貫通する孔部を有する仕切部を具備するポンプケーシングと、
前記挿入孔に挿入される、前記回転軸を支持するブシュ、前記ブシュに設けられ、前記仕切部の主面と当接する鍔部材、並びに、前記孔部に挿入される軸部及び前記軸部の両端に設けられ、その一方が前記鍔部材を押圧するとともに前記軸部を前記孔部に固定する一対の頭部を有する固定部材を具備する軸受部材と、
を備えることを特徴とするポンプ装置。
【請求項２】
前記頭部は、
前記仕切部の一方の主面に配置され、前記仕切部の一方の主面及び前記鍔部材の一部と当接する第１頭部と、
前記仕切部の他方の主面に配置される第２頭部と、
を備えることを特徴とする請求項１に記載のポンプ装置。
【請求項３】
前記仕切部は、前記鍔部材及び前記第１頭部が配置される座面が形成され、
前記孔部は、前記座面の前記鍔部材が配置される部位よりも外方に配置される、
ことを特徴とする請求項２に記載のポンプ装置。
【請求項４】
前記固定部材は、前記第１頭部が形成された前記軸部を前記孔部に挿入後、前記第２頭部が形成されることを特徴とする請求項３に記載のポンプ装置。
【請求項５】
前記固定部材はリベットであり、前記第１頭部又は前記第２頭部は、前記軸部が前記孔部に挿入後に形成されることを特徴とする請求項３に記載のポンプ装置。
【請求項６】
前記ポンプケーシングは、前記外郭部及び前記仕切部に一体に設けられ、前記インペラから吐出された流体の流路を形成する複数のベーンをさらに備えることを特徴とする請求項１に記載のポンプ装置。
【請求項７】
ポンプ装置のポンプケーシングに設けられた、その中央部に形成され、回転軸が挿入される挿入孔及び前記挿入孔の周囲に前記挿入孔の軸心に対して対称位置に複数形成された貫通する孔部を有する仕切部に設けられる軸受部材であって、
前記挿入孔に挿入される、前記回転軸を支持するブシュと、
前記ブシュに設けられ、前記仕切部の主面と当接する鍔部材と、
前記孔部に挿入される軸部及び前記軸部の両端に設けられ、その一方が前記鍔部材を押圧するとともに前記軸部を前記孔部に固定する一対の頭部を有する固定部材と、
を備えることを特徴とする軸受部材。
【請求項８】
前記頭部は、
前記仕切部の一方の主面に配置され、前記仕切部の一方の主面及び前記鍔部材の一部と当接する第１頭部と、
前記仕切部の他方の主面に配置される第２頭部と、
を備えることを特徴とする請求項７に記載の軸受部材。
【請求項９】
前記仕切部は、前記鍔部材及び前記第１頭部が配置される座面が形成され、
前記孔部は、前記座面の前記鍔部材が配置される部位よりも外方に配置される、
ことを特徴とする請求項８に記載の軸受部材。
【請求項１０】
前記固定部材は、前記第１頭部が形成された前記軸部を前記孔部に挿入後、前記第２頭部が形成されることを特徴とする請求項９に記載の軸受部材。
【請求項１１】
前記固定部材はリベットであり、前記第１頭部又は前記第２頭部は、前記軸部が前記孔部に挿入後に形成されることを特徴とする請求項９に記載の軸受部材。
【発明の詳細な説明】
【技術分野】
【０００１】
本発明は、回転軸を支持する軸受部材及び軸受部材を用いたポンプ装置に関する。
【背景技術】
【０００２】
現在、回転軸を軸受部材で支持するポンプ装置が知られている。例えば、このようなポンプ装置として、深井戸等で水や温泉水、海水等の湯水を揚水する、深井戸用水中ポンプが知られている（例えば、特許文献１参照）。このようなポンプ装置は、回転軸に所定の間隔で複数のインペラを固定し、これらインペラをケーシング内にそれぞれ収納させることで、ポンプ部が多段に連結される構成である。なお、特許文献１に記載される深井戸用水中ポンプは、温泉等のガスを含有する湯水の揚水に用いられるものであり、インペラの回転軸周辺にガス抜き孔を設ける構成である。なお、ガスの含有が少ない水を揚水するポンプとして、ガス抜き孔を有さないものも知られている。
【０００３】
このような深井戸用水中ポンプは、インペラとケーシングとの適切な位置関係を形成することで、インペラにより湯水を増圧させる構成であることから、インペラを固定する回転軸は、軸受部材、例えばブシュを介してケーシングに支持されることとなる。軸受部材は、ケーシングに嵌合され、この軸受部材が直接回転軸を支持する。なお、軸受部材は、Ｈ−ＮＢＲや他のゴム材等の樹脂材料で形成されている。
【先行技術文献】
【特許文献】
【０００４】
【特許文献１】実開平６−８７９１号公報
【発明の概要】
【発明が解決しようとする課題】
【０００５】
上述した軸受部材を用いたポンプ装置では、以下の問題があった。即ち、上述したポンプ装置は、高温水、温泉水及び海水等の供給に用いる場合に、軸受部材が収縮する虞があり、軸受部材がケーシングから脱離する虞や、軸受け部材が回転軸と供回りする虞がある。また、ポンプ装置は、経年変化によって、当該脱離や供回りが発生する虞もある。
【０００６】
そこで本発明は、簡単な構成で確実にケーシングに固定可能な軸受部材及び簡単な構成で確実にケーシングに軸受部材を固定可能なポンプ装置を提供することを目的としている。
【課題を解決するための手段】
【０００７】
前記課題を解決し目的を達成するために、本発明のポンプ装置及び軸受装置は、次のように構成されている。
【０００８】
本発明の一態様として、ポンプ装置は、モータに連結された回転軸と、前記回転軸に固定されたインペラと、円筒状の外郭部、並びに、前記外郭部に一体に設けられ、且つ、その中央部に形成された挿入孔及び前記挿入孔の周囲に前記挿入孔の軸心に対して対称位置に複数形成された貫通する孔部を有する仕切部を具備するポンプケーシングと、前記挿入孔に挿入される、前記回転軸を支持するブシュ、前記ブシュに設けられ、前記仕切部の主面と当接する鍔部材、並びに、前記孔部に挿入される軸部及び前記軸部の両端に設けられ、その一方が前記鍔部材を押圧するとともに前記軸部を前記孔部に固定する一対の頭部を有する固定部材を具備する軸受部材と、を備える。
【０００９】
本発明の一態様として、軸受部材は、ポンプ装置のポンプケーシングに設けられた、その中央部に形成され、回転軸が挿入される挿入孔及び前記挿入孔の周囲に前記挿入孔の軸心に対して対称位置に複数形成された貫通する孔部を有する仕切部に設けられる軸受部材であって、前記挿入孔に挿入される、前記回転軸を支持するブシュと、前記ブシュに設けられ、前記仕切部の主面と当接する鍔部材と、前記孔部に挿入される軸部及び前記軸部の両端に設けられ、その一方が前記鍔部材を押圧するとともに前記軸部を前記孔部に固定する一対の頭部を有する固定部材と、を備える。
【発明の効果】
【００１０】
本発明によれば、簡単な構成で確実にケーシングに固定可能な軸受部材及び簡単な構成で確実にケーシングに軸受部材を固定可能なポンプ装置を提供することが可能となる。
【図面の簡単な説明】
【００１１】
【図１】本発明の一実施の形態に係るポンプの構成を一部断面で示す説明図。
【図２】同ポンプ装置の要部構成を示す断面図。
【図３】同ポンプ装置に用いられるケーシングの構成を示す下面図。
【図４】同ポンプ装置に用いられる軸受部材の構成を示す下面図。
【図５】同軸受部材の構成を示す断面図。
【図６】本発明の変形例に係るポンプ装置の軸受部材の構成を示す下面図。
【発明を実施するための形態】
【００１２】
以下、本発明の一実施の形態に係る軸受部材３４を用いたポンプ装置１を、図１乃至図５を用いて説明する。  
図１は本発明の一実施の形態に係るポンプ装置１の構成を一部断面で示す説明図、図２は同ポンプ装置１の要部構成、具体的にはポンプ装置１に用いられるポンプケーシング３２及び軸受部材３４の構成を示す断面図、図３は同ポンプケーシング３２の構成を示す下面図、図４は軸受部材３４に用いられるブシュ８１及び鍔部材８２の構成を示す下面図、図５はブシュ８１及び鍔部材８２の構成を、図４中Ｖ−Ｖ線断面で示す断面図である。なお、図１中、Ｂはボルトを、Ｎはナットを、Ｖは井戸を、Ｗは井戸水を、それぞれ示している。
【００１３】
図１に示すように、ポンプ装置１は、例えば、井戸Ｖに配置され、少なくともその一部が井戸Ｖ内の流体、例えば井戸水Ｗの水面下に位置する深井戸用水中ポンプである。このポンプ装置１は、水中モータ（モータ）１１と、吸込ケーシング１２と、回転軸１３と、ポンプ部１４と、中間ケーシング１５と、吐出ケーシング１６と、固定バンド１７と、電気ケーブル１８と、を備えている。
【００１４】
水中モータ１１は、電気ケーブル１８を介して外部電源に接続されている。水中モータ１１は、井戸水Ｗ中に配置され、ポンプ装置１の最下部に配置される。この水中モータ１１は、その駆動軸１１ａが、例えば継手１９等を介して回転軸１３に接続される。水中モータ１１は、駆動軸１１ａの回転運動を、継手１９を介して回転軸１３に伝達させることで、回転軸１３を駆動可能に形成されている。
【００１５】
吸込ケーシング１２は、水中モータ１１の上部に設けられ、ポンプ部１４の最下段に接続される。吸込ケーシング１２は、略円筒状に形成される。吸込ケーシング１２は、その下部に設けられ、水中モータ１１とボルトＢ等により組み付く組付座２１と、組付座２１の上部に設けられた吸込口２２と、上端部（上端側）の外周縁に設けられ、ポンプ部１４の後述するポンプケーシング３２と接続される上端係合部２３と、を備えている。また、吸込ケーシング１２は、固定バンド１７の一方の端部が挿入され、且つ、固定される固定部２４を備えている。
【００１６】
回転軸１３は、継手１９を介して水中モータ１１に接続され、吸込ケーシング１２及びポンプ部１４内に収納される。回転軸１３は、後述するポンプ部１４のインペラ３１を固定可能に形成されている。なお、回転軸１３は、例えば、その外周面、又は、固定されたインペラ３１を介してポンプ部１４の軸受部材３４により軸支される。
【００１７】
より具体的には、回転軸１３は、その外周面が被覆部により被覆され、この被覆部が実質的な回転軸１３の外面を形成する。被覆部は、例えば、スペーサ及び後述するインペラ３１の挿入部３１ａ等により構成され、回転軸１３の回転に追従して回転可能に、回転軸１３の外周面に固定される。
【００１８】
ポンプ部１４は、吸込ケーシング１２の上部に複数積層され、その内部に回転軸１３を収納可能に形成されている。具体的に説明すると、ポンプ部１４は、回転軸１３に固定された複数のインペラ３１と、インペラ３１を収納するポンプケーシング（ケーシング）３２と、を備えている。また、ポンプ部１４は、インペラ３１とポンプケーシング３２との間に設けられたライナリング３３と、回転軸１３とポンプケーシング３２との間に設けられた軸受部材３４と、を備えている。
【００１９】
また、ポンプ部１４は、複数、例えば図１においては２つ積層されたポンプ部１４のポンプケーシング３２間に、中間ケーシング１５が配置される。
【００２０】
インペラ３１は、ステンレスや樹脂等で成型される。インペラ３１は、その中心に、回転軸１３に挿入されるとともに、回転軸１３の外表面の一部を覆う挿入部３１ａが形成される。インペラ３１は、円板状のベース部、ベース部の一方の主面に設けられた複数の羽根、及び、この羽根を覆い、且つ、その中央部が挿入部３１ａよりも大径に開口するシュラウド、を備えている。
【００２１】
挿入部３１ａは、ベース部と一体に設けられると共に、被覆部として回転軸１３の外周面の一部を覆う、ベース部及びシュラウド間の長さよりも長い円筒状に形成されている。なお、この挿入部３１ａの外周面の一部が、軸受部材３４と摺動可能に形成されている。
【００２２】
ポンプケーシング３２は、有底の円筒状に形成され、吸込ケーシング１２、その一次側及び二次側に位置する中間ケーシング１５、又は、その一次側及び二次側に位置するポンプケーシング３２を、Ｏリング等のシール部材を介して積層可能に形成されている。
【００２３】
具体的には、図２に示すように、ポンプケーシング３２は、その略円筒の外郭を形成する外郭部５１と、外郭部５１の軸心方向の一方側に設けられた案内部５２と、を備えている。また、ポンプケーシング３２は、外郭部５１及び案内部５２により、インペラ３１を収納する空間である収納部５３が形成される。
【００２４】
外郭部５１は、その一次側に配置される吸込ケーシング１２、中間ケーシング１５又はポンプケーシング３２と接続する第１係合部５５と、その二次側に配置される中間ケーシング１５、吐出ケーシング１６又はポンプケーシング３２と接続する第２係合部５６と、を備えている。外郭部５１は、第１係合部５５及び第２係合部５６を互いに係合させることで、ポンプケーシング３２を複数積層可能に形成されている。
【００２５】
第１係合部５５は、吸込ケーシング１２、中間ケーシング１５又はポンプケーシング３２と係合可能に形成されている。第２係合部５６は、インペラ３１と摺動するライナリング３３を嵌合固定する嵌合溝６１と、中間ケーシング１５、吐出ケーシング１６又はポンプケーシング３２係合したときに間に介在されるシール部材を介在させるシール溝６２と、を備えている。
【００２６】
案内部５２は、インペラ３１の外周部から吐出された水の、二次側への流路を形成する複数のガイドベーン７１と、ガイドベーン７１を支持するとともに、収納部５３に対向する仕切部７２と、を備えている。
【００２７】
ガイドベーン７１は、外郭部５１及び仕切部７２に一体に形成されることで、ガイドベーン７１間に、ポンプケーシング３２の外周側から中央部に向う、収納部５３から二次側の収納部５３への水の流路を形成する。
【００２８】
仕切部７２は、隣接する吸込ケーシング１２、中間ケーシング１５又はポンプケーシング３２と、当該仕切部７２が設けられているポンプケーシング３２の収納部５３によって形成されるインペラ３１の収納空間の天井面及び底面を構成する。
【００２９】
仕切部７２は、その中央が回転軸１３を挿通可能、且つ、軸受部材３４を固定可能に開口する円板状に形成されている。また、仕切部７２は、その外周側及び中央側の略中間位置から中央側に向ってその厚さが漸次増加して形成される。換言すると、仕切部７２は、その中央側が二次側に突出して形成される。
【００３０】
仕切部７２は、ガイドベーン７１に一体に形成されるとともに、その外周縁が外郭部５１の内周面と離間して形成される。換言すると、仕切部７２は、その外周縁が外郭部５１の内周面と離間することで、その外周縁及び外郭部５１の内周面との間に、ガイドベーン７１間への水の流路となる開口部７２ａを形成する。
【００３１】
仕切部７２は、その中央部に、軸受取付部７５を備えている。軸受取付部７５は、仕切部７２の中央部に形成され回転軸１３及び軸受部材３４が挿入される挿入孔７６と、挿入孔７６の周囲に複数形成され、仕切部７２間を貫通する孔部７７と、仕切部７２の一方の主面であって、且つ、挿入孔７６の周囲に形成された座面７８と、を備えている。
【００３２】
挿入孔７６は、その内径が軸受部材３４の後述するブシュ８１の外径と略同一径に形成される。孔部７７は、挿入孔７６の軸心、換言すると、挿入孔７６に配置される回転軸１３の軸心を中心に等間隔（対称）に複数、例えば２箇所に成形される。孔部７７は、ガイドベーン７１間の仕切部７２に配置される。
【００３３】
座面７８は、挿入孔７６側の一部に、軸受部材３４の後述する鍔部材８２の外径と同一径の内径で、鍔部材８２の厚さと同一厚さに窪んで形成された第１座面７８ａと、第１座面７８ａの外方に設けられた第２座面７８ｂと、を備えている。
【００３４】
座面７８は、第１座面７８ａの一部に鍔部材８２が配置可能に形成されるとともに、配置された鍔部材８２の主面と、第２座面７８ｂの主面が同一面上（面一）に形成される。座面７８は、第２座面７８ｂに孔部７７が配置される。具体的には、座面７８は、孔部７７に挿入される後述する固定部材８３の第１頭部８６が第１座面７８ａに配置された鍔部材８２の一部と当接可能な位置に、孔部７７が配置される。
【００３５】
ライナリング３３は、嵌合溝６１に固定され、インペラ３１の吸込口側の外周面と摺動することで、インペラ３１及びポンプケーシング３２間を密封可能に形成されている。
【００３６】
図４及び図５に示すように、軸受部材３４は、ブシュ８１と、ブシュ８１に設けられた鍔部材８２と、鍔部材８２をポンプケーシング３２に固定する固定部材８３と、を備えている。ブシュ８１は、ゴム材（Ｈ−ＮＢＲ）等の樹脂材料で形成されている。図４に示すように、ブシュ８１は、その中央部が十角形状に開口する円筒状に形成される。ブシュ８１は、回転する回転軸１３の外周面がその内面と摺動可能に形成されている。ブシュ８１は、その外形状が、軸受取付部７５の挿入孔７６に嵌合又は圧入可能な外径を有して形成される。
【００３７】
鍔部材８２は、円環状であって、その内周縁から一方側に筒状に突出して形成された、その断面がＬ字状に形成された金属部材である。この鍔部材８２は、その一部であるブシュ８１の軸心方向に沿って筒状に突出する部位がブシュ８１内に埋設されるとともに、その他部である円環状の部位が、ブシュ８１の径方向に突出することでブシュ８１の外周面から延設される。
【００３８】
鍔部材８２は、ブシュ８１と一体に構成されることで、ブシュ８１の鍔を形成する。鍔部材８２は、ブシュ８１から突出する部位が座面７８の第１座面７８ａと当接することで、軸受取付部７５の挿入孔７６に挿入されたブシュ８１が軸受取付部７５に支持される。
【００３９】
固定部材８３は、所謂リベットであって、軸部８５と、軸部８５の一端に形成された第１頭部８６と、軸部８５の他端に形成された第２頭部８７と、を備えている。図２に二点鎖線で示すように、固定部材８３は、軸部８５の一端に第１頭部８６が形成され、他端に第２頭部８７が形成されていない状態で、軸部８５を軸受取付部７５の孔部７７に挿入可能、且つ、孔部７７に軸部８５を挿入後、例えば、かしめ具等の治工具１００によって、軸部８５の他端に第２頭部８７を形成可能に形成されている。固定部材８３は、軸部８５が、例えば、収納部５３側から挿入される。
【００４０】
第１頭部８６は、軸部８５が孔部７７に挿入されることで、第１座面７８ａに当接した鍔部材８２及び第２座面７８ｂと当接可能に形成されている。第２頭部８７は、軸部８５を孔部７７に挿入した後に、孔部７７の周囲の仕切部７２の他方の主面に当接可能に治工具１００によって形成される。第２頭部８７は、仕切部７２の主面に干渉することで、第１頭部８６とともに軸部８５の孔部７７からの抜けを防止可能に形成されている。即ち、第１頭部８６及び第２頭部８７は、孔部７７に対する軸部８５の移動を規制する。
【００４１】
中間ケーシング１５は、インペラ３１を収納せず、流体の流路を形成可能に形成される。中間ケーシング１５は、ポンプ部１４間に配置される。中間ケーシング１５は、円筒状又は筒状に形成され、その両端に、ポンプケーシング３２の第１係合部５５及び第２係合部５６と同一構成の第１係合部及び第２係合部が形成されている。
【００４２】
吐出ケーシング１６は、例えば固定バンド１７の他方が固定される下部ケーシング１６ａと、この下部ケーシング１６ａにボルトＢ等により結合され、吐出配管２００等に接続されるフランジ部を有する上部ケーシング１６ｂと、を備えている。また、吐出ケーシング１６は、上部ケーシング１６ｂ内に、逆止弁１６ｃを備えている。
【００４３】
固定バンド１７は、帯状のバンド部１７ａと、その両端にナットＮにより締結可能に形成されたねじ部１７ｂとを有している。この固定バンド１７は、吸込ケーシング１２、ポンプケーシング３２、中間ケーシング１５及び吐出ケーシング１６を一体に固定可能に形成されている。
【００４４】
次に、このように構成されたポンプ装置１の製造方法の一として、軸受部材３４の取り付けについて説明する。  
先ず、ポンプケーシング３２の座面７８が形成された仕切部７２の第２座面７８ｂに、仕切部７２を貫通する孔部７７を、ドリル等による穴加工によって形成する。次に、座面７８の第１座面７８ａと鍔部材８２とを対向させながら、挿入孔７６にブシュ８１を挿入又は圧入する。このとき、第１座面７８ａの主面に鍔部材８２が当接するまで、ブシュ８１を挿入孔７６に挿入する。
【００４５】
次に、図２に二点鎖線で示すように、第２頭部８７が形成されていない固定部材８３の軸部８５を、第１頭部８６が第２座面７８ｂ及び鍔部材８２に当接するまで孔部７７に挿入する。次に、図２に二点鎖線で示す治工具１００によって、軸部８５の端部に第２頭部８７を形成する。この形成された第２頭部８７が仕切部７２と当接することで、軸部８５が孔部７７に固定される。このとき、第１頭部８６が第２座面７８ｂ及び鍔部材８２と当接することで、第１頭部８６により鍔部材８２が第１座面７８ａに向って押圧されることから、軸受部材３４が挿入孔７６に固定され、軸受部材３４がポンプケーシング３２に取り付けられる。
【００４６】
このように構成されたポンプ装置１によれば、軸受部材３４は、鍔部材８２を座面７８に固定部材８３を介して固定することで、ブシュ８１が熱膨張、変形及び経年変化による機械的性質の低下等が発生しても、挿入孔７６から軸受部材３４が脱落することを防止可能となる。
【００４７】
また、固定部材８３は、第１頭部８６が形成された軸部８５を孔部７７に挿入後、第２頭部８７を軸部８５に形成する、所謂リベットとすることで、軸部８５が第１頭部８６及び第２頭部８７によって孔部７７に固定される。このため、固定部材８３は、ポンプ装置１の駆動等による振動等によって緩むことが無く、孔部７７に確実に固定される。また、ポンプ装置１の長期使用によっても、軸受部材３４の脱落及び固定部材８３の脱落を確実に防止し、当該脱落によるポンプ装置１の損傷を防止し、ポンプ装置１の信頼性を向上することが可能となる。
【００４８】
また、軸受部材３４は、固定部材８３の第１頭部８６によって鍔部材８２を固定する構成であることから、軸部８５を挿入する孔部７７は、ポンプケーシング３２の仕切部７２にのみ設ける簡単な構成でよい。即ち、鍔部材８２に孔部を別途設ける必要がなく、このため、孔部７７の穴加工が容易、且つ、加工工程の低減となる。また、鍔部材８２に孔部７７を形成するときのドリル滑り等を防止可能となり、安全性が向上する。このため、孔部７７を形成する工程の作業効率が向上し、製造コストを低減することが可能となる。
【００４９】
また、固定部材８３は、仕切部７２の作業性が良好な側において第２頭部８７を形成可能となる。即ち、軸部８５の孔部７７への挿入方向を、ポンプケーシング３２の形状に応じて適宜設定することで、治工具１００による第２頭部８７の成形を、治工具１００の配置や作業スペースが確保可能な作業性が良い側で作業可能となり、軸受部材３４の取付作業の作業性が向上する。
【００５０】
上述したように本発明の一実施形態に係るポンプ装置１によれば、軸受部材３４の鍔部材８２を、固定部材８３によってポンプケーシング３２の仕切部７２に固定することで、簡単な構成で確実にポンプケーシング３２に軸受部材３４を固定可能となる。
【００５１】
なお、本発明は前記実施の形態に限定されるものではない。例えば、上述した例では、回転軸１３は、その外周面が被覆部であるスペーサ及び挿入部３１ａにより被覆されている構成としたがこれに限定されない。回転軸１３は、被覆部に覆われていない構成であってもよい。この場合には、軸受部材３４は、挿入部３１ａでなく、直接回転軸１３を支持する構成であればよい。
【００５２】
また、上述した例では、固定部材８３の軸部８５を挿入する孔部７７は、挿入孔７６の軸心を中心に対称位置に２つ成形されるとしたがこれに限定されない。孔部７７は、等間隔で３以上有する構成であってもよい。
【００５３】
さらに、上述した例では、軸受部材３４のブシュ８１を内面形状が十角形状の円筒状とする構成を説明したがこれに限定されない。以下、ポンプ装置１に用いられる軸受部材３４の変形例である軸受部材３４Ａを、図６を用いて説明する。なお、図６は、本発明の変形例に係るポンプ装置１に用いられる軸受部材３４Ａの構成を示す下面図である。
【００５４】
図６に示すように、軸受部材３４Ａは、ブシュ８１Ａ及び鍔部材８２を備えている。ブシュ８１Ａは、円筒状であって、その内面形状が八角形状に形成され、対向面間の幅が、回転軸１３の外周面の外径と略同一の内径に形成される。また、ブシュ８１Ａは、例えば、その端面の一部、例えば端面の４箇所において、断面が三角形状、又は、台形状に窪んで形成される。図６においては、ブシュ８１Ａの端面が、等間隔に離間した４箇所で断面が三角形状に窪む凹部８４が形成された構成を示す。なお、軸受部材３４Ａの鍔部材８２は、上述した軸受部材３４の鍔部材８２と同様の構成であり、その詳細な説明は省略する。
【００５５】
このように、ポンプ装置１に用いられる軸受部材３４，３４Ａは、ブシュ８１，８１Ａによって回転軸１３を軸支可能であって、固定部材８３によって鍔部材８２を軸受取付部７５に取付可能であれば、軸受部材３４，３４Ａは、適宜設定可能である。
【００５６】
また、上述したポンプ装置１は、深井戸用水中ポンプとして説明したが、回転軸１３を支持するとともに、固定部材８３により鍔部材８２を介して仕切部７２に固定される軸受部材３４，３４Ａを固定するポンプであれば、他の構成のポンプ装置、例えば、横置きの単段ポンプ等であっても勿論よい。また、ポンプ装置は、ポンプケーシング３２に軸受部材３４，３４Ａを固定可能な仕切部７２を有する構成であれば、ガイドベーン７１を有さない構成であってもよい。この他、本発明の要旨を逸脱しない範囲で種々変形実施可能である。
【符号の説明】
【００５７】
１…ポンプ装置、１１…水中モータ（モータ）、１１ａ…駆動軸、１２…吸込ケーシング、１３…回転軸、１４…ポンプ部、１５…中間ケーシング、１６…吐出ケーシング、１７…固定バンド、１８…電気ケーブル、１９…継手、２１…組付座、２２…吸込口、２３…上端係合部、２４…固定部、３１…インペラ、３１ａ…挿入部、３２…ポンプケーシング、３３…ライナリング、３４…軸受部材、５１…外郭部、５２…案内部、５３…収納部、５５…第１係合部、５６…第２係合部、６１…嵌合溝、６２…シール溝、７１…ガイドベーン、７２…仕切部、７２ａ…開口部、７５…軸受取付部、７６…挿入孔、７７…孔部、７８…座面、７８ａ…第１座面、７８ｂ…第２座面、８１…ブシュ、８２…鍔部材、８３…固定部材、８４…凹部、８５…軸部、８６…第１頭部、８７…第２頭部、１００…治工具、２００…吐出配管、Ｂ…ボルト、Ｎ…ナット、Ｖ…井戸、Ｗ…井戸水。
【図１】
2014199015.tif 000003
【図２】
2014199015.tif 000004
【図３】
2014199015.tif 000005
【図４】
2014199015.tif 000006
【図５】
2014199015.tif 000007
【図６】
2014199015.tif 000008